【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
プラント監視制御システムの試験支援装置であって、
前記プラント監視制御システムは監視装置と制御装置とによって構成されているとともに、該プラント監視制御システムの試験を行う前記試験支援装置は、前記監視装置および前記制御装置にそれぞれネットワークで接続されており、
前記試験支援装置には、所定の試験手順に従って試験実行信号を出力する実行手段が設けられており、入力部からの信号で前記実行手段の画面に表示される試験設定データを前記制御装置のメモリに書き込み、このメモリに書き込まれた前記試験設定データに対応する前記制御装置の制御データが前記実行手段の画面に表示され、
前記制御装置は前記実行手段が出力する信号アドレスに従って前記制御データを前記監視装置に送信し、前記制御データに基づき、前記監視装置の画面に試験対象の状態が表示されるとともに、
前記試験支援装置に設けられた試験記録部は、前記実行手段の画面に表示された試験結果を格納し、該格納された試験結果は、前記実行手段の信号によって試験成績書として出力されることを特徴とするプラント監視制御システムの試験支援装置。
【請求項２】
プラント監視制御システムの試験支援装置であって、
前記プラント監視制御システムは監視装置と制御装置とによって構成されているとともに、該プラント監視制御システムの試験を行う前記試験支援装置は、前記監視装置および前記制御装置にそれぞれネットワークで接続されており、
前記試験支援装置には、所定の試験手順に従って試験実行信号を出力する実行手段が設けられており、入力部からの信号で前記実行手段の画面に表示される試験設定データに基づいて、前記監視装置から試験対象の機器への操作が実行可能とする指令を、前記監視装置に対して出力し、該監視装置からの信号によって前記制御装置の制御データが、制御装置データ確認欄の画面に表示されるとともに、前記試験支援装置に設けられた試験記録部は、前記実行手段の画面に表示された試験結果を格納し、該格納された試験結果は、前記実行手段の信号によって試験成績書として出力されることを特徴とするプラント監視制御システムの試験支援装置。
【請求項３】
前記制御データに基づき前記監視装置の画面に表示される試験対象の状態は、試験対象機器の機器シンボルの描画であることを特徴とする請求項１に記載のプラント監視制御システムの試験支援装置。
【請求項４】
前記制御データに基づき前記監視装置の画面に表示される試験対象の状態は、試験対象機器の計測値であることを特徴とする請求項１に記載のプラント監視制御システムの試験支援装置。
【請求項５】
前記制御装置データ確認欄の画面に表示される前記制御データは、前記制御装置のデジタル信号読み込み値であることを特徴とする請求項２に記載のプラント監視制御システムの試験支援装置。
【請求項６】
前記制御装置データ確認欄の画面に表示される前記制御データは、前記制御装置のアナログ信号の読み込み値であることを特徴とする請求項２に記載のプラント監視制御システムの試験支援装置。
【請求項７】
次のステップを備えたことを特徴とする請求項３に記載のプラント監視制御システムの試験支援装置。
ＳＴ１：前記試験支援装置に支援画面を表示する。
ＳＴ２：前記実行手段は試験項目情報部から試験対象信号の試験項目を読み込み、該実行手段の画面に試験項目番号、信号アドレス、試験結果確認欄の確認内容を表示する。
ＳＴ３：前記実行手段は画面展開部と試験データ送受信部に前記試験項目番号を送信する。
ＳＴ４：前記画面展開部は、前記試験項目番号をキーに試験項目情報部から該当信号が表示される画面番号を抽出する。
ＳＴ５：前記画面番号が複数画面に使用されているか否かをチェックし、Ｎｏの場合、次のＳＴ６に進む。
ＳＴ６：前記画面展開部から前記監視装置に対して、該当画面番号の画面表示指令を送信する。
ＳＴ７：前記試験データ送受信部は、前記試験項目番号をキーに前記試験項目情報部から信号アドレスを読み込む。
ＳＴ８：前記実行手段の画面の設定値欄にて、試験員によって設定されたデジタルインプット（ＤＩ）の設定データを、前記試験データ送受信部から前記制御装置の該当メモリに対してデータ書き込みを行う。
ＳＴ９：前記試験データ送受信部を介して前記制御装置の該当メモリを読み込むことにより、前記実行手段の支援画面のデジタルインプット（ＤＩ）の書き込み値欄である制御装置データ確認欄に該当メモリのデータを表示する。
ＳＴ１０：前記制御装置の制御ソフトウェア部およびネットワーク通信部により、前記監視装置に対して該当信号アドレスのデータが送信される。
ＳＴ１１：前記画面展開部は画面定義情報部を参照し、前記監視装置の表示出力部の画面に表示される試験対象機器の機器シンボルの表示座標を取得し、試験対象が前記表示出力部の画面に表示されるように前記監視装置に対して表示位置調整の指令を送信する。
ＳＴ１２：前記制御装置から送信された前記制御データに基づき、前記表示出力部の監視装置に表示された機器シンボルの描画が変化し、試験員は表示確認と動作確認を行う。
ＳＴ１３：試験員により試験結果確認欄に試験結果が入力され、試験記録部に格納される。
ＳＴ１４：試験継続の要否がチェックされ否の場合、次のＳＴ１５に進み、要の場合は、ＳＴ１６に進む。
ＳＴ１５：前記試験記録部に格納された試験結果に基に、試験成績書が出力される。
ＳＴ１６：前記実行手段の画面における「前の試験項目番号」または「次の試験項目番号」への入力により試験項目番号を切り替え、前記ＳＴ２に戻る。
【請求項８】
次のステップを備えたことを特徴とする請求項４に記載のプラント監視制御システムの試験支援装置。
ＳＴ１：前記試験支援装置に支援画面を表示する。
ＳＴ２：前記実行手段は試験項目情報部から試験対象信号の試験項目を読み込み、該実行手段の画面に試験項目番号、信号アドレス、試験結果確認欄の確認内容を表示する。
ＳＴ３：前記実行手段は画面展開部と試験データ送受信部に前記試験項目番号を送信する。
ＳＴ４：前記画面展開部は、前記試験項目番号をキーに前記試験項目情報部から該当信号が表示される画面番号を抽出する。
ＳＴ５：前記画面番号が複数画面に使用されているか否かをチェックし、Ｎｏの場合、次のＳＴ６に進む。
ＳＴ６：前記画面展開部から前記監視装置に対して、該当画面番号の画面表示指令を送信する。
ＳＴ７：前記試験データ送受信部は、前記試験項目番号をキーに前記試験項目情報部から信号アドレスを読み込む。
ＳＴ８：前記試験データ送受信部を介して前記制御装置の該当メモリを読み込むことにより、前記実行手段の画面のデジタルアウトプット（ＤＯ）の読み込み値欄である制御装置データ確認欄に該当メモリのデータを表示する。
ＳＴ９：前記画面展開部は画面定義情報部を参照し、前記監視装置の表示出力部の画面に表示される試験対象機器の機器シンボルの表示座標を取得し、試験対象が前記表示出力部の画面に表示されるように前記監視装置に対して表示位置調整の指令を送信する。
ＳＴ１０：前記実行手段の画面の設定欄にて、試験員によって設定された試験データに基づき、前記画面展開部から前記監視装置に対して操作指令を送信し、前記監視装置から試験対象機器への制御操作が実行される。
ＳＴ１１：前記監視装置からの制御操作により、前記制御装置の該当メモリのデジタル信号読み込み値が書き替わることをデジタルアウトプット（ＤＯ）の読み込み値欄である前記制御装置データ確認欄にて試験員が確認を行う。
ＳＴ１２：試験員により試験結果確認欄に試験結果が入力され、試験記録部に格納される。
ＳＴ１３：試験継続の要否がチェックされ否の場合、次のＳＴ１５に進み、要の場合は、ＳＴ１６に進む。
ＳＴ１４：前記試験記録部に格納された試験結果に基に、試験成績書が出力される。
ＳＴ１５：前記実行手段の画面における「前の試験項目番号」または「次の試験項目番号」への入力により試験項目番号を切り替え、前記ＳＴ２に戻る。
【請求項９】
次のステップを備えたことを特徴とする請求項５に記載のプラント監視制御システムの試験支援装置。
ＳＴ１：前記試験支援装置に支援画面を表示する。
ＳＴ２：前記実行手段は試験項目情報部から試験対象信号の試験項目を読み込み、該実行手段の画面に試験項目番号、信号アドレス、試験結果確認欄の確認内容を表示する。
ＳＴ３：前記実行手段は画面展開部と試験データ送受信部に前記試験項目番号を送信する。
ＳＴ４：前記画面展開部は、前記試験項目番号をキーに前記試験項目情報部から該当信号が表示される画面番号を抽出する。
ＳＴ５：前記画面番号が複数画面に使用されているか否かをチェックし、Ｎｏの場合、次のＳＴ６に進む。
ＳＴ６：前記画面展開部から前記監視装置に対して、該当画面番号の画面表示指令を送信する。
ＳＴ７：前記試験データ送受信部は、前記試験項目番号をキーに前記試験項目情報部から信号アドレスを読み込む。
ＳＴ８：前記実行手段の画面の設定値欄にて、試験員によって設定されたデジタルインプット（ＤＩ）の設定データを、前記試験データ送受信部から前記制御装置の該当メモリに対してデータ書き込みを行う。
ＳＴ９：前記試験データ送受信部を介して前記制御装置の該当メモリを読み込むことにより、前記実行手段の画面のデジタルインプット（ＤＩ）の書き込み値欄である制御装置データ確認欄に該当メモリのデータを表示する。
ＳＴ１０：前記制御装置の制御ソフトウェア部およびネットワーク通信部により、前記監視装置に対して該当信号アドレスのデータが送信される。
ＳＴ１１：前記画面展開部は画面定義情報部を参照し、前記監視装置の表示出力部の画面に表示される試験対象機器の機器シンボルの表示座標を取得し、試験対象が前記表示出力部の画面に表示されるように前記監視装置に対して表示位置調整の指令を送信する。
ＳＴ１２：前記制御装置から送信された制御データに基づき、前記表示出力部に表示された計測値が変化し、試験員は表示確認と動作確認を行う。
ＳＴ１３：試験員により試験結果確認欄に試験結果が入力され、試験記録部に格納される。
ＳＴ１４：試験継続の要否がチェックされ否の場合、次のＳＴ１５に進み、要の場合は、ＳＴ１６に進む。
ＳＴ１５：前記試験記録部に格納された試験結果に基に、試験成績書が出力される。
ＳＴ１６：前記実行手段の画面における「前の試験項目番号」または「次の試験項目番号」への入力により試験項目番号を切り替え、前記ＳＴ２に戻る。
【請求項１０】
次のステップを備えたことを特徴とする請求項６に記載のプラント監視制御システムの試験支援装置。
ＳＴ１：前記試験支援装置に支援画面を表示する。
ＳＴ２：前記実行手段は試験項目情報部から試験対象信号の試験項目を読み込み、該実行手段の画面に試験項目番号、信号アドレス、試験結果確認欄の確認内容を表示する。
ＳＴ３：前記実行手段は画面展開部と試験データ送受信部に前記試験項目番号を送信する。
ＳＴ４：前記画面展開部は、前記試験項目番号をキーに前記試験項目情報部から該当信号が表示される画面番号を抽出する。
ＳＴ５：前記画面番号が複数画面に使用されているか否かをチェックし、Ｎｏの場合、次のＳＴ６に進む。
ＳＴ６：前記画面展開部から前記監視装置に対して、該当画面番号の画面表示指令を送信する。
ＳＴ７：前記試験データ送受信部は、前記試験項目番号をキーに前記試験項目情報部から信号アドレスを読み込む。
ＳＴ８：前記試験データ送受信部を介して前記制御装置の該当メモリを読み込むことにより、前記実行手段の画面のアナログアウトプット（ＡＯ）の読み込み値欄である制御装置データ確認欄に該当メモリのデータを表示する。
ＳＴ９：前記画面展開部は画面定義情報部を参照し、前記監視装置の表示出力部の画面における数値設定部の表示座標を取得し、試験対象が前記表示出力部の画面に表示されるように前記監視装置に対して、表示位置調整の指令を送信する。
ＳＴ１０：前記実行手段の画面の設定欄において、試験員により設定された試験データに基づき、前記画面展開部から前記監視装置に対して数値設定指令を送信し、前記監視装置から前記制御装置に対して数値データが送信される。
ＳＴ１１：前記制御装置から数値データ送信により、前記制御装置の該当メモリの数値データが書き替わることをアナログアウトプット（ＡＯ）の読み込み値欄である制御装置データ確認欄にて試験員が確認を行う。
ＳＴ１２：試験員により試験結果確認欄に試験結果が入力され、試験記録部に格納される。
ＳＴ１３：試験継続の要否がチェックされ否の場合、次のＳＴ１４に進み、要の場合は、ＳＴ１５に進む。
ＳＴ１４：前記試験記録部に格納された試験結果に基に、試験成績書が出力される。
ＳＴ１５：前記実行手段の画面における「前の試験項目番号」または「次の試験項目番号」への入力により試験項目番号を切り替え、前記ＳＴ２に戻る。
【請求項１１】
前記ＳＴ５とＳＴ６に代替して次のステップを備えたことを特徴とする請求項７ないし請求項１０のいずれか１項に記載のプラント監視制御プラントの試験支援装置。
前記画面番号が複数画面に使用されているか否かをチェックし、Ｙｅｓの場合、複数画面を表示するよう前記監視装置の表示出力部に指令を出す。表示画面が縮小される場合は、前記表示出力部に表示位置調整指令を出力する。
【請求項１２】
プラント監視制御プラントの試験方法であって、前記請求項３ないし請求項１１のいずれか１項に記載の試験支援装置を用いたことを特徴とする。